(57)【要約】【課題】テレビコマーシャルは映画等のコンテンツとは異なり二次利用されることが無いため、過去のコマーシャルを消費者が任意に選択して視聴することが難しい。一方、広告主はテレビコマーシャルの製作と放映に多大なコストをかける必要があるが、一定期間の放送が終了した後は再利用されることがなく、利用価値が無くなるという問題があった。【解決手段】放映期間が終了した広告及び広告情報を提供する広告管理システムと、利用者端末とがネットワークを介して接続され、前記利用者端末は、通信手段を介して前記広告管理システムに接続するステップと、検索条件を送信するステップと、検索の結果存在する場合に該当する広告及び広告情報を受信するステップと、再生手段により前記受信した広告及び広告情報の再生を行うステップとを備える。【選択図】図１
2005341104.tif 000002
【特許請求の範囲】
【請求項１】
放映期間が終了した広告及び広告情報を提供する広告管理システムと、前記広告管理システムから広告及び広告情報を取得して表示させるための利用者端末とがネットワークを介して接続され、前記広告管理システムは、放映期間が終了した広告及び広告情報が保存されている広告蓄積手段と、前記広告蓄積手段に保存されている広告及び広告情報を管理するための広告管理手段と、前記ネットワークと通信するための通信手段と、外部からの接続要求に対する認証を行う認証手段と、前記広告蓄積手段から広告及び広告情報を検索するための検索手段と、前記利用者端末に広告及び広告情報を提供する広告提供手段とを備え、前記利用者端末は、使用者からの操作指示を受ける入力手段と、前記ネットワークと通信するための通信手段と、広告及び広告情報を再生させるための再生手段と、前記再生手段により再生した映像信号を表示させるための表示手段と、前記再生手段により再生した音声信号を出力させるための音声出力手段と、前記広告管理システムから広告及び広告情報を取得する広告取得手段とを備えることを特徴とする広告情報提供システム。
【請求項２】
前記利用者端末は、前記入力手段から広告取得指示を受けるステップと、前記通信手段を介して前記広告管理システムに接続して認証処理を行うステップと、前記広告管理システムから認証結果を受信するステップと、認証された場合に前記入力手段から検索条件を受けるステップと、前記広告管理システムに前記検索条件を送信するステップと、前記広告管理システムから検索結果を受信するステップと、検索の結果存在する場合に該当する広告及び広告情報を受信するステップと、前記再生手段により前記受信した広告及び広告情報の再生を行うステップとを備え、前記広告管理システムは、前記利用者端末からの前記接続要求時に前記認証手段により認証処理を行うステップと、前記利用者端末に認証結果を返信するステップと、認証許可した場合に前記利用者端末から前記検索条件を受信するステップと、前記検索手段により前記広告蓄積手段から広告及び広告情報の検索を行うステップと、検索の結果存在する場合に該当する広告及び広告情報を選択するステップと、前記利用者端末に前記広告及び広告情報を送信するステップとを備えることを特徴とする請求項１記載の広告情報提供システム。
【請求項３】
広告及び広告情報を作成して提供する番組提供システムが前記ネットワークを介して接続され、前記番組提供システムは、使用者からの操作指示を受ける入力手段と、広告及び広告情報が保存されている広告蓄積手段と、広告及び広告情報を作成して前記広告蓄積手段に保存するための広告作成手段と、前記広告蓄積手段に保存されている広告及び広告情報を管理するための広告管理手段と、前記ネットワークと通信するための通信手段と、前記広告蓄積手段から広告及び広告情報を検索するための広告検索手段と、前記広告管理システムに放送期間が終了した広告及び広告情報を提供する広告提供手段とを備えることを特徴とする請求項１または２のいずれかに記載の広告情報提供システム。
【請求項４】
前記番組提供システムは、前記入力手段から広告送信指示を受けるステップと、前記広告検索手段により前記広告蓄積手段から放送期間が終了した広告及び広告情報の検索を行うステップと、存在する場合に該当する広告及び広告情報を選択するステップと、前記通信手段を介して前記広告管理システムに接続して認証処理を行うステップと、前記広告管理システムから認証結果を受信するステップと、認証許可された場合に前記広告管理システムに前記広告及び広告情報を送信するステップとを備え、前記広告管理システムは、前記番組提供システムからの前記接続要求時に前記認証手段により認証処理を行うステップと、前記番組提供システムに認証結果を返信するステップと、認証許可した場合に前記番組提供システムから前記広告及び広告情報を受信するステップと、前記検索手段により前記広告蓄積手段から前記受信した広告及び広告情報の検索を行うステップと、検索の結果存在しない場合に前記受信した広告及び広告情報を前記広告蓄積手段に保存するステップと、前記保存した広告及び広告情報を前記広告管理手段により管理するステップとを備えることを特徴とする請求項３記載の広告情報提供システム。
【請求項５】
テレビ放送を行うテレビ放送局と、前記番組提供システムとが前記ネットワークを介して接続され、前記番組提供システムは、番組及び番組情報が保存されている番組蓄積手段と、番組及び番組情報を作成して前記番組蓄積手段に保存するための番組作成手段と、前記番組蓄積手段に保存されている番組及び番組情報を管理するための番組管理手段と、前記番組蓄積手段から番組及び番組情報を検索するための番組検索手段と、前記テレビ放送局に番組及び番組情報を提供する番組提供手段とを備え、前記テレビ放送局は、外部からの接続要求に対する認証を行う認証手段と、番組及び番組情報が保存されている番組蓄積手段と、前記番組蓄積手段に保存されている番組及び番組情報を管理するための番組管理手段と、前記番組及び番組情報を放送する手段とを備え、前記利用者端末は、前記テレビ放送局から放送された前記番組及び番組情報を受信する番組受信手段と、番組及び番組情報が保存されている番組蓄積手段と、前記番組受信手段により受信した番組及び番組情報を前記番組蓄積手段に保存する番組保存手段とを備えることを特徴とする請求項３または４のいずれかに記載の広告情報提供システム。
【請求項６】
前記番組提供システムは、前記入力手段から番組送信指示を受けるステップと、前記番組検索手段により前記番組蓄積手段から番組及び番組情報の検索を行うステップと、存在する場合に該当する番組及び番組情報を選択するステップと、前記通信手段を介して前記テレビ放送局に接続して認証処理を行うステップと、前記テレビ放送局から認証結果を受信するステップと、認証許可された場合に前記テレビ放送局に前記番組及び番組情報を送信するステップとを備え、前記テレビ放送局は、前記番組提供システムからの前記接続要求時に前記認証手段により認証処理を行うステップと、前記番組提供システムに認証結果を返信するステップと、認証許可した場合に前記番組提供システムから前記番組及び番組情報を受信するステップと、前記受信した番組及び番組情報を前記番組蓄積手段に保存するステップと、前記保存した番組及び番組情報を前記番組管理手段により管理するステップとを備えることを特徴とする請求項５記載の広告情報提供システム。
【請求項７】
商品やサービスを販売する販売店に設置される販売店端末と、広告のスポンサー企業に設置される広告主端末とが前記ネットワークを介して接続され、前記利用者端末は、広告及び広告情報が保存されている広告蓄積手段と、前記広告蓄積手段に保存されている広告及び広告情報を管理するための広告管理手段と、前記広告蓄積手段から広告及び広告情報を検索するための検索手段と、広告及び広告情報の視聴量に応じて利用者にポイントを与えるポイント付与手段と、広告視聴情報と保有ポイント情報とが含まれる端末管理視聴情報が保存されている端末管理視聴情報蓄積手段と、前記端末管理視聴情報を管理するための端末管理視聴情報管理手段と、前記広告管理システムに前記端末管理視聴情報を提供する端末管理視聴情報提供手段とを備え、前記広告管理システムは、前記利用者端末の利用者に関する利用者管理情報と、前記販売店端末の利用店に関する販売店管理情報と、前記広告主端末の利用企業に関する広告主管理情報とが保存されており、前記利用者管理情報には会員情報と広告視聴情報と保有ポイント情報とが含まれ、前記販売店管理情報には会員情報と割引商品情報と割引ポイント情報とが含まれ、前記広告主管理情報には会員情報と割引店情報と割引商品情報と割引ポイント情報とが含まれる管理情報蓄積手段と、広告及び広告情報の視聴量に応じて利用者にポイントを与えるポイント付与手段と、前記利用者端末から送信された端末管理視聴情報を前記管理情報蓄積手段に格納するポイント格納手段と、前記販売店端末に前記管理情報蓄積手段の前記利用者管理情報を提供する利用者管理情報提供手段と、前記販売店端末から送信された割引情報を前記管理情報蓄積手段に格納する割引情報格納手段と、前記広告主端末に前記管理情報蓄積手段の前記各管理情報を提供する管理情報提供手段とを備え、前記販売店端末は、使用者からの操作指示を受ける入力手段と、前記広告管理システムから前記利用者管理情報を取得する利用者管理情報取得手段と、前記広告管理システムに割引ポイント情報と割引商品情報とが含まれる割引情報を提供する割引情報提供手段とを備え、前記広告主端末は、使用者からの操作指示を受ける入力手段と、前記広告管理システムから前記管理情報蓄積手段の前記各管理情報を取得する管理情報取得手段とを備えることを特徴とする請求項１から６までのいずれかに記載の広告情報提供システム。
【請求項８】
前記利用者端末は、前記入力手段から広告取得指示を受けるステップと、前記通信手段を介して前記広告管理システムに接続して認証処理を行うステップと、前記広告管理システムから認証結果を受信するステップと、認証された場合に前記入力手段から検索条件を受けるステップと、前記広告管理システムに前記検索条件を送信するステップと、前記広告管理システムから検索結果を受信するステップと、検索の結果存在する場合に該当する広告及び広告情報を受信するステップと、前記再生手段により前記受信した広告及び広告情報の再生を行うステップと、前記再生が終了した時に前記広告管理システムに終了通知を行うステップと、前記再生した広告及び広告情報を前記広告蓄積手段に保存するステップと、前記保存した広告及び広告情報を前記広告管理手段により管理するステップとを備え、前記広告管理システムは、前記利用者端末からの前記接続要求時に前記認証手段により認証処理を行うステップと、前記利用者端末に認証結果を返信するステップと、認証許可した場合に前記利用者端末から前記検索条件を受信するステップと、前記検索手段により前記広告蓄積手段から広告及び広告情報の検索を行うステップと、検索の結果存在する場合に該当する広告及び広告情報を選択するステップと、前記利用者端末に前記広告及び広告情報を送信するステップと、前記利用者端末から終了通知を受信するステップと、前記終了通知を受信した後に前記ポイント付与手段により前記利用者管理情報の保有ポイントを追加するステップとを備えることを特徴とする請求項７記載の広告情報提供システム。
【請求項９】
前記利用者端末は、前記検索手段により前記広告蓄積手段に保存された前記広告及び広告情報の検索を行うステップと、前記再生手段により前記広告及び広告情報の再生を行うステップと、前記再生が終了した時に前記ポイント付与手段により前記端末管理視聴情報の保有ポイントを追加するステップと、前記端末管理視聴情報管理手段により前記端末管理視聴情報を管理するステップとを備えることを特徴とする請求項８記載の広告情報提供システム。
【請求項１０】
前記利用者端末は、前記入力手段から端末管理視聴情報送信指示を受けるステップと、前記通信手段を介して前記広告管理システムに接続して認証処理を行うステップと、前記広告管理システムから認証結果を受信するステップと、認証された場合に前記広告管理システムに前記端末管理視聴情報を送信するステップとを備え、前記広告管理システムは、前記利用者端末からの前記接続要求時に前記認証手段により認証処理を行うステップと、前記利用者端末に認証結果を返信するステップと、認証許可した場合に前記利用者端末から前記端末管理視聴情報を受信するステップと、前記受信した端末管理視聴情報の内容を前記ポイント格納手段により前記利用者管理情報に格納するステップとを備えることを特徴とする請求項９記載の広告情報提供システム。
【請求項１１】
前記販売店端末は、前記入力手段から利用者管理情報取得指示を受けるステップと、前記通信手段を介して前記広告管理システムに接続して認証処理を行うステップと、前記広告管理システムから認証結果を受信するステップと、認証された場合に前記広告管理システムから前記利用者管理情報を受信するステップと、前記広告管理システムに前記割引情報を送信するステップとを備え、前記広告管理システムは、前記販売店端末からの前記接続要求時に前記認証手段により認証処理を行うステップと、前記販売店端末に認証結果を返信するステップと、認証許可した場合に前記販売店端末に前記利用者管理情報を送信するステップと、前記販売店端末から前記割引情報を受信するステップと、前記受信した割引情報の内容を前記割引情報格納手段により前記利用者管理情報と前記販売店管理情報と前記広告主管理情報とに格納するステップとを備えることを特徴とする請求項７から１０までのいずれかに記載の広告情報提供システム。
【請求項１２】
前記広告主端末は、前記入力手段から管理情報取得指示を受けるステップと、前記通信手段を介して前記広告管理システムに接続して認証処理を行うステップと、前記広告管理システムから認証結果を受信するステップと、認証された場合に前記広告管理システムから前記広告主管理情報及び前記利用者管理情報を受信するステップとを備え、前記広告管理システムは、前記広告主端末からの前記接続要求時に前記認証手段により認証処理を行うステップと、前記広告主端末に認証結果を返信するステップと、認証許可した場合に前記広告主端末に前記広告主管理情報及び前記利用者管理情報を送信するステップとを備えることを特徴とする請求項７から１１までのいずれかに記載の広告情報提供システム。
【発明の詳細な説明】
【技術分野】
【０００１】
本発明は、テレビコマーシャルをネットワークを介して取得、再生、蓄積する技術に関し、特に、放送期間が終了した過去のコマーシャルを再利用するためにデータベース化して、ユーザが任意に取得して視聴することにより商品やサービスの割引ポイントを与えるシステムに関するものである。
【背景技術】
【０００２】
これまで商品やサービスを消費者に宣伝するためにはテレビ、新聞、雑誌などのマスメディアを介して行う方法が一般的であったが、特にテレビコマーシャルの場合、何時どのような内容のコマーシャルが放送されるか視聴者には分からないため、内容に興味のあるコマーシャルや、好きな曲やタレントが出ているコマーシャルを意図的に視聴できない場合がある。
【０００３】
そこで、ユーザの嗜好に合ったコマーシャルを視聴できるようにするために、受信したテレビ放送の中からユーザの所望とするものだけを選択抽出してこれを蓄積し、データベース化することにより、後でユーザから再生指示があった場合に蓄積してあるコマーシャルを再生して視聴するという技術が従来から提案されている（例えば、特許文献１参照）。
【特許文献１】特開平９−２１４８７５号公報
【発明の開示】
【発明が解決しようとする課題】
【０００４】
上述の従来技術によれば、ユーザは嗜好に合うコマーシャルの属性を指定しておけば蓄積されたものを後で視聴することが可能である。しかし、蓄積するコマーシャルは現在放映されているものが対象であり、一般的にコマーシャルには一定の放映期間があるため、放送が終了したコマーシャルを取得することができない。
【０００５】
消費者は商品やサービスを購入する際の判断材料の一つとして、その企業が過去に提供した商品やサービスを知りたい場合がある。テレビコマーシャルの映像と音声情報は雑誌やインターネット等などの文字情報よりも視覚的に理解しやすい特性を持つが、テレビコマーシャルは映画等のコンテンツとは異なり二次利用されることが無いため、過去のコマーシャルを消費者が任意に選択して視聴することが難しい。
【０００６】
一方、広告主はテレビコマーシャルの製作と放映に多大なコストをかける必要があるが、一定期間の放送が終了した後は再利用されることがなく、利用価値が無くなるという問題があった。
【０００７】
本発明は、かかる現状に鑑みてなされたものであり、放送期間が終了した過去のテレビコマーシャルを、広告主と消費者が有効的に再利用することを目的とする。
【課題を解決するための手段】
【０００８】
上記目的を達成するために、本発明の広告情報提供システムは、放映期間が終了した広告及び広告情報を提供する広告管理システムと、前記広告管理システムから広告及び広告情報を取得して表示させるための利用者端末とがネットワークを介して接続され、前記広告管理システムは、放映期間が終了した広告及び広告情報が保存されている広告蓄積手段と、前記広告蓄積手段に保存されている広告及び広告情報を管理するための広告管理手段と、前記ネットワークと通信するための通信手段と、外部からの接続要求に対する認証を行う認証手段と、前記広告蓄積手段から広告及び広告情報を検索するための検索手段と、前記利用者端末に広告及び広告情報を提供する広告提供手段とを備え、前記利用者端末は、使用者からの操作指示を受ける入力手段と、前記ネットワークと通信するための通信手段と、広告及び広告情報を再生させるための再生手段と、前記再生手段により再生した映像信号を表示させるための表示手段と、前記再生手段により再生した音声信号を出力させるための音声出力手段と、前記広告管理システムから広告及び広告情報を取得する広告取得手段とを備えることを特徴とする。
【発明の効果】
【０００９】
以上のように本発明によれば、利用者は放映期間が終了した過去のテレビコマーシャルの中から嗜好に合うものを任意に選択して視聴することが可能となる。
【００１０】
更に、コマーシャルを視聴した回数に応じて割引ポイントが得られ、商品やサービスの販売店にて上記割引ポイントを使用することで割引の特典を受けることが可能となる。
【００１１】
また、広告主にとってはデータベースに蓄積された利用者のコマーシャル視聴履歴や購買パターンなどの分析を行うことで、マーケティング活動に活かすことが可能となる。
【発明を実施するための最良の形態】
【００１２】
以下、本発明の実施の形態について、図１から図１５を用いて説明する。
【００１３】
（実施の形態１）
図１は、本発明の実施の形態の構成を示すブロック図であり、番組提供システム１００と、広告管理システム２００と、ユーザ端末３００と、販売店端末４００と、広告主端末５００と、テレビ放送局６００と、これらを相互に接続するネットワーク７００とから構成されている。
【００１４】
番組提供システム１００は、ネットワーク７００を介して、テレビ放送局６００に番組と番組情報及び広告と広告情報の提供を行い、また、広告管理システム２００に放送期間が終了した広告と広告情報を提供するシステムであり、図２に示すように、入力手段１０１と、制御手段１０２と、多重化手段１０３と、通信手段１０４と、番組情報生成手段１０５と、編集手段１０６と、コンテンツ生成手段１０７と、検索手段１０８と、番組情報蓄積手段１０９と、コンテンツ蓄積手段１１０とを有する。
【００１５】
ここで番組とはニュースやドラマ等のテレビ番組の本編を意味し、広告（コマーシャル）とは本編と本編の間に挿入されるスポンサー企業が提供する商品やサービスの宣伝を意味し、番組情報とは番組の名称、内容の説明、放送日時などの情報を意味し、広告情報とは広告の名称、内容の説明、放送日時、放送期間などの情報を意味する。
【００１６】
番組及び広告は、映像、音声、データ等で構成されるデジタルコンテンツであり、コンテンツ、番組情報、広告情報の伝送と蓄積には、ＩＳＯ／ＩＥＣ  １３８１８−１規格（ＭＰＥＧ２システム規格）、ＤＶＢ−ＳＩ（Ｄｉｇｉｔａｌ  Ｖｉｄｅｏ  Ｂｒｏａｄｃａｓｔｉｎｇ  −  Ｓｅｒｖｉｃｅ  Ｉｎｆｏｒｍａｔｉｏｎ）規格、或いは社団法人電波産業会による「デジタル放送に使用する番組配列情報」規格等に準拠した方式を用いる。
【００１７】
入力手段１０１は、入力指示を受け付けて制御手段１０２に操作指示を与える機能を有する。多重化手段１０３は、入力されたコンテンツデータ及び、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）等のテーブルを多重化し、その結果としてＭＰＥＧ２トランスポートストリームを生成してパケット化して通信手段１０４に送出する機能を有する。なお、ＭＰＥＧ２トランスポートストリームを構成する各種データは、１８８バイトのＴＳパケットに分割され、各ＴＳパケットには識別のためのパケットＩＤが付加されている。通信手段１０４は、ネットワーク７００を介してテレビ放送局６００及び広告管理システム２００と通信する機能を有する。番組情報生成手段１０５は、指定された番組に対応する番組情報及び指定された広告に対応する広告情報を番組情報蓄積手段１０９から読み出し、その情報を含むセクション形式のＥＩＴ（Ｅｖｅｎｔ  Ｉｎｆｏｒｍａｔｉｏｎ  Ｔａｂｌｅ）を生成して多重化手段１０３に送出する機能を有する。
【００１８】
編集手段１０６は、番組情報蓄積手段１０９に記録された番組情報と広告情報及びコンテンツ蓄積手段１１０に記録された映像、音声、データを含むコンテンツを編集する機能を有する。コンテンツ生成手段１０７は、指定された番組と広告に対応するコンテンツをコンテンツ蓄積手段１１０から読み出し、例えば映像は映像パケタイズドエレメンタリーストリーム（映像ＰＥＳ）、音声は音声パケタイズドエレメンタリーストリーム（音声ＰＥＳ）等と種別に応じて整形し、多重化手段１０３に送出する機能を有する。検索手段１０８は、番組情報蓄積手段１０９から該当コンテンツの番組情報及び広告情報を検索すると共に、コンテンツ蓄積手段１１０から該当コンテンツを検索する機能を有する。番組情報蓄積手段１０９は、ハードディスク等の記録媒体を有し、番組情報及び広告情報を記録している。コンテンツ蓄積手段１１０は、ハードディスク等の記録媒体を有し、番組と広告のデジタルコンテンツを記録している。
【００１９】
制御手段１０２は、プロセッサ、メモリ等で構成され、主に、（１）入力手段１０１から受けた編集要求に従い、編集手段１０６により番組情報蓄積手段１０９に記録された番組情報と広告情報及びコンテンツ蓄積手段１１０に記録されたコンテンツを編集する処理、（２）入力手段１０１から受けた番組送信要求に従い、検索手段１０８により該当コンテンツ及び番組情報と広告情報を検索し、番組情報生成手段１０５により番組情報と広告情報を読み出して多重化手段１０３に送出すると共に、コンテンツ生成手段１０７により番組と広告のコンテンツを読み出して多重化手段１０３に送出する処理、（３）入力手段１０１から受けた広告送信要求に従い、検索手段１０８により該当コンテンツ及び広告情報を検索し、番組情報生成手段１０５により広告情報を読み出して多重化手段１０３に送出すると共に、コンテンツ生成手段１０７により広告のコンテンツを読み出して多重化手段１０３に送出する処理、を行う。処理（３）の詳細については、図１０の流れ図を用いて後述する。
【００２０】
広告管理システム２００は、ネットワーク７００を介して、番組提供システム１００から送信された広告を蓄積管理し、ユーザ端末３００、販売店端末４００、広告主端末５００からの要求に応じて広告及び各管理情報を格納又は提供するシステムであり、図３に示すように、制御手段２０１と、通信手段２０２と、認証手段２０３と、多重化手段２０４と、検索手段２０５と、ＴＳデコード手段２０６と、コンテンツ生成手段２０７と、管理情報蓄積手段２０８と、コンテンツ蓄積手段２０９とを有する。
【００２１】
通信手段２０２は、ネットワーク７００を介して番組提供システム１００、ユーザ端末３００、販売店端末４００、及び広告主端末５００と通信する機能を有する。認証手段２０３は、管理情報蓄積手段２０８に記録されているユーザ管理テーブル１１００、販売店管理テーブル１２００、広告主管理テーブル１３００の各管理情報に登録されている識別ＩＤやパスワード等を用いて外部からのログイン認証処理を行う機能を有する。多重化手段２０４は、入力されたコンテンツデータ及び、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ）等のテーブルを多重化し、その結果としてＭＰＥＧ２トランスポートストリームを生成してパケット化して通信手段２０２に送出する機能を有する。
【００２２】
検索手段２０５は、管理情報蓄積手段２０８の広告管理テーブル１０００から該当コンテンツの広告情報を検索すると共に、コンテンツ蓄積手段２０９から該当コンテンツを検索する機能を有する。ＴＳデコード手段２０６は、パケットＩＤ、テーブル識別子等で特定される種別のデータを、通信手段２０２から受け取ったＭＰＥＧ２トランスポートストリームから分離抽出して管理情報蓄積手段２０８及びコンテンツ蓄積手段２０９に送出する機能を有する。コンテンツ生成手段２０７は、指定された広告に対応するコンテンツをコンテンツ蓄積手段２０９から読み出し、例えば映像は映像パケタイズドエレメンタリーストリーム（映像ＰＥＳ）、音声は音声パケタイズドエレメンタリーストリーム（音声ＰＥＳ）等と種別に応じて整形し、多重化手段２０４に送出すると共に、指定された広告に対応する広告情報を広告管理テーブル１０００から読み出し、その情報を含むセクション形式のＥＩＴ（Ｅｖｅｎｔ  Ｉｎｆｏｒｍａｔｉｏｎ  Ｔａｂｌｅ）を生成して多重化手段２０４に送出する機能を有する。管理情報蓄積手段２０８は、ハードディスク等の記録媒体を有し、広告管理テーブル１０００、ユーザ管理テーブル１１００、販売店管理テーブル１２００、広告主管理テーブル１３００を記録している。
【００２３】
広告管理テーブル１０００は、図５に示すように、各コンテンツの識別ＩＤ、放送期間、商品名、出演タレント、タイアップ曲等の情報が格納されている。ユーザ管理テーブル１１００は、図６に示すように、各利用者の識別ＩＤや氏名、住所、性別等の属性情報、視聴広告ＩＤ、視聴回数、累積視聴ポイント、残割引ポイント等の情報が格納されている。販売店管理テーブル１２００は、図７に示すように、各販売店の識別ＩＤや店名、住所、連絡先等の属性情報、割引対象商品名、品番、累積割引ポイント等の情報が格納されている。広告主管理テーブル１３００は、図８に示すように、各広告主の識別ＩＤや会社名、住所、連絡先等の属性情報、割引対象販売店名、品番、累積割引ポイント等の情報が格納されている。
【００２４】
コンテンツ蓄積手段２０９は、ハードディスク等の記録媒体を有し、コンテンツデータを広告単位にアクセス可能なように記録している。
【００２５】
制御手段２０１は、プロセッサ、メモリ等で構成され、主に、（１）番組提供システム１００から送信された広告送信要求を受け、認証手段２０３により認証処理を行い、通信手段２０２を介してＭＰＥＧ２トランスポートストリームを受信して、ＴＳデコード手段２０６によりデコード処理を行った後、検索手段２０５により該当コンテンツの検索を行い、存在しない場合、広告管理テーブル１０００にストリームから抽出した該当情報を記録すると共に、コンテンツ蓄積手段２０９にコンテンツを保存する処理、（２）ユーザ端末３００から送信された広告取得要求を受け、認証手段２０３により認証処理を行い、通信手段２０２を介して検索条件を受信して、検索手段２０５により該当コンテンツの検索を行い、存在する場合、コンテンツ生成手段２０７により該当コンテンツを読み出して多重化手段２０４に送出すると共に、広告管理テーブル１０００から該当情報を読み出して多重化手段２０４に送出する処理、（３）ユーザ端末３００から送信された視聴データ送信要求を受け、認証手段２０３により認証処理を行い、通信手段２０２を介して視聴データを受信して、ユーザ管理テーブル１１００に視聴データの該当情報を記録する処理、（４）販売店端末４００から送信された残割引ポイント確認要求を受け、認証手段２０３により認証処理を行い、ユーザ管理テーブル１１００に記録されている各顧客の残割引ポイントの送信を行った後、販売店端末４００から割引データの送信があった場合、ユーザ管理テーブル１１００、販売店管理テーブル１２００、広告主管理テーブル１３００に該当情報を記録する処理、（５）広告主端末５００から送信された管理情報取得要求を受け、認証手段２０３により認証処理を行い、ユーザ管理テーブル１１００及び広告主管理テーブル１３００の該当情報を送信する処理、を行う。前記処理（１）の詳細については、図１０の流れ図を用いて後述する。また、前記処理（２）の詳細については、図１１の流れ図を用いて後述する。また、前記処理（３）の詳細については、図１３の流れ図を用いて後述する。また、前記処理（４）の詳細については、図１４の流れ図を用いて後述する。
【００２６】
ユーザ端末３００は、テレビ放送局６００からテレビ放送を受信する機能を有し、ネットワーク７００を介して広告管理システム２００から広告及び広告情報を取得、再生、蓄積する機能を有するテレビ、携帯電話、ＰＤＡ、パーソナルコンピュータ等の情報処理装置であり、図４に示すように、入力手段３０１と、制御手段３０２と、受信手段３０３と、通信手段３０４と、再生手段３０５と、ＴＳデコード手段３０６と、検索手段３０７と、表示手段３０８と、音声出力手段３０９と、コンテンツ蓄積手段３１０とを有する。
【００２７】
入力手段３０１は、入力指示を受け付けて制御手段３０２に操作指示を与える機能を有する。受信手段３０３は、デジタルテレビ放送を受信する機能を有する。通信手段３０４は、ネットワーク７００を介して広告管理システム２００と通信する機能を有する。再生手段３０５は、符号化圧縮されている映像や音声を伸長する機能を有し、映像信号を表示手段３０８に、音声信号を音声出力手段３０９に送出する機能を有する。ＴＳデコード手段３０６は、パケットＩＤ、テーブル識別子等で特定される種別のデータを、受信手段３０３又は通信手段３０４から受け取ったＭＰＥＧ２トランスポートストリームから分離抽出して再生手段３０５又はコンテンツ蓄積手段３１０に送出する機能を有する。
【００２８】
検索手段３０７は、コンテンツ蓄積手段３１０から該当コンテンツ及び広告情報を検索する機能を有する。表示手段３０８は、ディスプレイ等の表示装置である。音声出力手段３０９は、スピーカー等の音声出力装置である。コンテンツ蓄積手段３１０は、ハードディスク等の記録媒体を有し、受信手段３０３又は通信手段３０４から受け取ったコンテンツ、及び視聴データ管理テーブル１４００を記録している。視聴データ管理テーブル１４００は、図９に示すように、視聴広告ＩＤ、視聴回数、累積視聴ポイント、商品名、出演タレント等の情報が格納されている。
【００２９】
制御手段３０２は、プロセッサ、メモリ等で構成され、主に、（１）入力手段３０１から受けた広告取得要求に従い、通信手段３０４によりネットワーク７００を介して広告管理システム２００にアクセスし、認証許可を受信した場合、入力手段３０１から受けた検索条件を送信して、該当コンテンツが存在する場合に該当コンテンツ及び広告情報が含まれるストリームを受信して、ＴＳデコード手段３０６によりデコード処理を行い、再生手段３０５に送出してコンテンツの再生を行い、再生終了後、ユーザがコンテンツの蓄積を希望する場合、コンテンツ蓄積手段３１０に蓄積を行い、視聴データ管理テーブル１４００にストリームから抽出した情報を登録する処理、（２）入力手段３０１から受けた蓄積済み広告再生要求に従い、検索条件による指定又は蓄積済み一覧表示から指定されたコンテンツを検索手段３０７により検索を行い、存在する場合、再生手段３０５に送出してコンテンツの再生を行い、再生が終了した時に視聴ポイントや視聴回数等を追加して、視聴データ管理テーブル１４００に該当情報を記録する処理、（３）入力手段３０１から受けた視聴データ送信要求に従い、通信手段３０４によりネットワーク７００を介して広告管理システム２００にアクセスし、認証許可を受信した場合、コンテンツ蓄積手段３１０に記録されている視聴データ管理テーブル１４００の視聴データを送信する処理、（４）入力手段３０１から受けたテレビ放送視聴要求に従い、受信手段３０３により放送を受信してＴＳデコード手段３０６に送出する処理、を行う。前記処理（１）の詳細については、図１１の流れ図を用いて後述する。また、前記処理（２）の詳細については、図１２の流れ図を用いて後述する。また、前記処理（３）の詳細については、図１３の流れ図を用いて後述する。
【００３０】
販売店端末４００は、商品やサービスを販売する販売店に設置されており、通信手段を有し、ネットワーク７００を介して広告管理システム２００に接続可能である。顧客が割引対象商品を購入する際に割引を希望する場合、店員は先ず販売店端末４００により広告管理システム２００から顧客の残割引ポイントを受信して確認する。次に割引ポイントに相当金額を割り引いたうえで販売を行い、割引データを広告管理システム２００に送信する。上記処理の詳細については、図１４の流れ図を用いて後述する。
【００３１】
広告主端末５００は、広告のスポンサー企業に設置されており、通信手段を有し、ネットワーク７００を介して広告管理システム２００に接続可能である。スポンサー企業は定期的に広告管理システム２００の管理情報蓄積手段２０８に記録されているユーザ管理テーブル１１００及び広告主管理テーブル１３００の該当管理情報を取得して解析を行い、販売店に対して手数料及び割引額の支払いを行う。広告主は上記取得したデータを解析することにより、顧客の広告視聴履歴や購買パターンなどを知ることが可能となり、マーケティング活動に活かすことが可能となる。
【００３２】
テレビ放送局６００は、通信手段と認証手段とコンテンツ蓄積手段とを有し、ネットワーク７００を介して番組提供システム１００からの接続要求に対する認証処理を行い、番組提供システム１００から送信された番組と番組情報及び広告と広告情報を受信してコンテンツ蓄積手段に保存し、保存したコンテンツを放送スケジュールに合わせて放送を行う。
【００３３】
次に、本発明の実施の形態の動作について図１０から図１５を用いて説明する。本システムを利用しようとするユーザ、販売店、広告主は予め広告管理システム２００に会員登録を行う。広告管理システム２００は、会員の識別ＩＤや属性情報などを、管理情報蓄積手段２０８に記録されているユーザ管理テーブル１１００、販売店管理テーブル１２００、広告主管理テーブル１３００に登録する。
【００３４】
図１０は、番組提供システム１００と広告管理システム２００との間の動作を表した流れ図である。
【００３５】
番組提供システムの管理者は放送期間が終了した広告を定期的に広告管理システム２００へ送信する。送信する場合、入力手段１０１から広告送信要求を入力し（ステップＳ１０１）、検索手段１０８により放送期間が過ぎた広告の検索を行い（ステップ１０２）、無い場合（ステップＳ１０３：ＮＯ）終了し、ある場合（ステップＳ１０３：ＹＥＳ）、コンテンツと広告情報を読み出して選択する（ステップＳ１０４）。番組提供システム１００は通信手段１０４によりネットワーク７００を介して広告管理システム２００にログインする（ステップＳ１０５）。広告管理システム２００は登録されているＩＤやパスワード等を用いて認証処理を行い（ステップＳ２０１）、認証結果を通知する（ステップＳ２０２）。
【００３６】
番組提供システム１００は認証結果を受信して、許可されない場合（ステップＳ１０６：ＮＯ）、再度ログインするかどうかを促す（ステップＳ１１０）。ログインする場合（ステップＳ１１０：ＹＥＳ）ログインを行い（ステップＳ１０５）、ログインしない場合（ステップＳ１１０：ＮＯ）次の広告情報の検索を行う（ステップＳ１１１、ステップＳ１０２）。許可された場合（ステップＳ１０６：ＹＥＳ）、コンテンツと広告情報の送信を行う（ステップＳ１０７）。広告管理システム２００は認証許可しない場合（ステップＳ２０３：ＮＯ）終了し、許可する場合（ステップＳ２０３：ＹＥＳ）、番組提供システム１００から送信されたコンテンツを受信する（ステップＳ２０４）。広告管理システム２００は広告管理テーブル１０００から該当コンテンツの検索を行い（ステップＳ２０５）、既に登録されている場合（ステップＳ２０６：ＹＥＳ）、登録済み通知を返信する（ステップＳ２０７）。
【００３７】
登録されていない場合（ステップＳ２０６：ＮＯ）、コンテンツを保存すると共に、広告管理テーブル１０００に識別ＩＤを付加して、放送期間、商品名、出演タレント、タイアップ曲等の広告情報を記録する（ステップＳ２０８）。保存と登録が終了した後に登録終了通知を行い（ステップＳ２０９）終了する。番組提供システム１００は広告管理システム２００から送信された通知結果を表示して記録の保存を行い（ステップＳ１０８）、広告管理システム２００からログアウトして（ステップＳ１０９）、次の広告の検索を行う（ステップＳ１１１、ステップＳ１０２）。
【００３８】
図１１は、ユーザ端末３００と広告管理システム２００との間の動作を表した流れ図である。ユーザは広告管理システム２００に所望の広告の取得を要求する場合、入力手段３０１から広告取得要求を入力する（ステップＳ３０１）。ユーザ端末３００は通信手段３０４によりネットワーク７００を介して広告管理システム２００にログインする（ステップＳ３０２）。広告管理システム２００は登録されているＩＤやパスワード等を用いて認証処理を行い（ステップＳ４０１）、認証結果を通知する（ステップＳ４０２）。ユーザ端末３００は認証結果を受信して、許可されない場合（ステップＳ３０３：ＮＯ）、再度ログインするかどうかを促す（ステップＳ３０４）。
【００３９】
ログインする場合（ステップＳ３０４：ＹＥＳ）ログインを行い（ステップ３０２）、ログインしない場合（ステップＳ３０４：ＮＯ）終了する。許可された場合（ステップＳ３０３：ＹＥＳ）、ユーザは検索条件の入力を行い（ステップＳ３０５）検索条件を送信する（ステップＳ３０６）。広告管理システム２００は認証許可しない場合（ステップＳ４０３：ＮＯ）終了し、許可する場合（ステップＳ４０３：ＹＥＳ）ユーザ端末３００から送信された検索条件を受信する（ステップＳ４０４）。広告管理システム２００は広告管理テーブル１０００から該当コンテンツの検索を行い（ステップＳ４０５）、登録されていない場合（ステップＳ４０６：ＮＯ）、未登録通知を返信する（ステップＳ４０７）。登録されている場合（ステップＳ４０６：ＹＥＳ）、コンテンツと該当広告管理テーブル情報を含むストリームを送信する（ステップＳ４０８）。ユーザ端末３００は未登録の場合終了し（ステップＳ３０７：ＮＯ）、登録済みの場合（ステップＳ３０７：ＹＥＳ）これを受信して（ステップＳ３０８）、ＴＳデコード手段３０６によりコンテンツのデコード処理を行い、再生手段３０５に送出してコンテンツの再生を行う（ステップＳ３０９）。
【００４０】
再生が終了した時に（ステップＳ３１０）、広告管理システム２００に終了通知（ステップＳ３１１）を行った後、広告管理システム２００からログアウトする（ステップＳ３１２）。
【００４１】
広告管理システム２００は終了通知を受け、ユーザ管理テーブル１１００に視聴広告ＩＤ、視聴回数、視聴ポイントなどを追加して記録する（ステップＳ４０９）。ユーザが再生したコンテンツの蓄積を希望しない場合（ステップＳ３１３：ＮＯ）終了する。希望する場合（ステップＳ３１３：ＹＥＳ）コンテンツ蓄積手段３１０に蓄積し（ステップＳ３１４）、視聴データ管理テーブル１４００に視聴広告ＩＤ、視聴回数、累積視聴ポイント、商品名、出演タレント等の管理情報を記録する（ステップＳ３１５）。ユーザが別の広告の再検索を希望する場合（ステップＳ３１６：ＹＥＳ）、検索条件を入力する（ステップＳ３１７、ステップＳ３０５）。希望しない場合（ステップＳ３１６：ＮＯ）終了する。
【００４２】
図１２は、ユーザ端末３００の動作を表した流れ図である。ユーザは蓄積した広告のコンテンツを再生する場合、入力手段３０１から蓄積済み広告再生要求を入力する（ステップＳ５０１）。ユーザ端末３００はユーザに検索条件を入力するか一覧表示の中から選択するかを促す（ステップＳ５０２）。ユーザが検索を希望する場合（ステップＳ５０２：ＹＥＳ）、入力手段３０１から検索条件を入力する（ステップＳ５０３）。希望しない場合（ステップＳ５０２：ＮＯ）、蓄積済み広告の一覧表示を行い（ステップＳ５０５）、ユーザは一覧の中から再生を希望するものを選択する（ステップＳ５０６）。
【００４３】
検索条件による指定又は蓄積済み一覧表示から指定された該当コンテンツを検索手段３０７により検索を行い（ステップＳ５０４）、存在する場合（ステップＳ５０７：ＹＥＳ）再生手段３０５に送出してコンテンツの再生を行い（ステップＳ５０８）、存在しない場合（ステップＳ５０７：ＮＯ）終了する。再生が終了した時（ステップＳ５０９）、視聴ポイントや視聴回数等を追加して視聴データ管理テーブル１４００を更新する（ステップＳ５１０）。次に、同じコンテンツの再生を繰り返すかどうかを促し（ステップＳ５１１）、繰り返す場合（ステップＳ５１１：ＹＥＳ）、再度再生を行う（ステップＳ５０８）。繰り返さない場合（ステップＳ５１１：ＮＯ）、コンテンツの再検索を行うかどうかを促す（ステップＳ５１２）。
【００４４】
再検索を行う場合（ステップＳ５１２：ＹＥＳ）、ユーザに検索条件を入力するか一覧表示の中から選択するかを促す（ステップＳ５０２）。再検索を行わない場合（ステップＳ５１２：ＮＯ）、視聴データ管理テーブル１４００に記録されている、視聴回数や累積視聴ポイント等の視聴データを送信するかどうかを促す（ステップＳ５１３）。ユーザが送信を希望する場合（ステップＳ５１３：ＹＥＳ）、入力手段３０１から視聴データ送信要求を入力する（ステップＳ５１４、ステップＳ６０１）。希望しない場合終了する（ステップＳ５１３：ＮＯ）。
【００４５】
図１３は、ユーザ端末３００と広告管理システム２００との間の動作を表した流れ図である。ユーザは蓄積したコンテンツの再生を行った際に視聴データ管理テーブル１４００に記録される視聴回数や累積視聴ポイント等の視聴データを定期的に広告管理システム２００に送信する。視聴データを送信する場合、ユーザは入力手段３０１から視聴データ送信要求を入力する（ステップＳ６０１）。ユーザ端末３００は通信手段３０４によりネットワーク７００を介して広告管理システム２００にログインする。広告管理システム２００は登録されているＩＤやパスワード等を用いて認証処理を行い（ステップＳ７０１）、認証結果を通知する（ステップＳ７０２）。ユーザ端末３００は認証結果を受信して、許可されない場合（ステップＳ６０３：ＮＯ）、再度ログインするかどうかを促す（ステップＳ６０５）。ログインする場合（ステップＳ６０５：ＹＥＳ）ログインを行い（ステップＳ６０２）、ログインしない場合（ステップＳ６０５：ＮＯ）終了する。
【００４６】
許可された場合（ステップＳ６０３：ＹＥＳ）、視聴データを送信（ステップＳ６０４）した後、広告管理システム２００からログアウトして（ステップＳ６０６）終了する。広告管理システム２００は認証許可しない場合（ステップＳ７０３：ＮＯ）終了し、許可する場合（ステップＳ７０３：ＹＥＳ）視聴データを受信して、ユーザ管理テーブル１１００に視聴回数や累積視聴ポイント等を記録（ステップＳ７０４）して終了する。
【００４７】
図１４は、販売店端末４００と広告管理システム２００との間の動作を表した流れ図である。顧客が割引対象商品を購入する際に割引を希望する場合、店員は販売店端末４００により広告管理システム２００から顧客の残割引ポイントを取得して確認する。
【００４８】
販売店端末４００に残割引ポイント確認要求を入力し（ステップＳ８０１）、ネットワーク７００を介して広告管理システム２００にログインする（ステップＳ８０２）。広告管理システム２００は登録されているＩＤやパスワード等を用いて認証処理を行い（ステップＳ９０１）、認証結果を通知する（ステップＳ９０２）。販売店端末４００は認証結果を受信して、許可されない場合（ステップＳ８０３：ＮＯ）、再度ログインするかどうかを促す（ステップＳ８０４）。ログインする場合（ステップＳ８０４：ＹＥＳ）ログインを行い（ステップＳ８０２）、ログインしない場合（ステップＳ８０４：ＮＯ）終了する。
【００４９】
許可された場合（ステップＳ８０３：ＹＥＳ）、広告管理システム２００に残割引ポイント取得要求の送信を行う（ステップＳ８０５）。広告管理システム２００は認証許可しない場合（ステップＳ９０３：ＮＯ）終了し、許可する場合（ステップＳ９０３：ＹＥＳ）、ユーザ管理テーブル１１００に記録されている顧客の残割引ポイントを送信して（ステップＳ９０４）、販売店端末４００からの応答を待つ。販売店端末４００は広告管理システム２００から送信された残割引ポイントを受信して確認を行う（ステップＳ８０６）。次に、広告管理システム２００に割引データを送信するかどうかを促す（ステップＳ８０７）。割引データを送信しない場合（ステップＳ８０７：ＮＯ）、広告管理システム２００に終了通知を送信して（ステップＳ８０８）、終了する。
【００５０】
送信する場合（ステップＳ８０７：ＹＥＳ）、割引データを送信した後（ステップＳ８０９）、広告管理システム２００からログアウトして（ステップＳ８１０）終了する。広告管理システム２００は販売店端末４００から終了通知を受け取った場合（ステップＳ９０５：ＹＥＳ）、終了する。受け取らない場合、広告管理システム２００から送信された割引データを受信した後、ユーザ管理テーブル１１００、販売店管理テーブル１２００、広告主管理テーブル１３００の該当する管理情報を更新して（ステップＳ９０６）終了する。
【００５１】
図１５は、ユーザ端末３００で広告のコンテンツを再生した時の表示例であり、コンテンツの再生、早送り、早戻し等の機能を有し、広告情報や累計視聴ポイント等の情報の表示を行う。
【産業上の利用可能性】
【００５２】
本発明にかかる広告情報提供システムは、利用者が放映期間が終了した過去のテレビコマーシャルの中から嗜好に合うものを任意に選択して視聴することにより割引ポイントが得られ、商品やサービスの販売店にて割引の特典を受けることが可能となり、広告主はコマーシャル視聴履歴や購買パターンなどのデータを取得して解析することによりマーケティング活動に活かすことが可能となるため、ネットワークを介してテレビコマーシャルを取得、再生、蓄積するシステム等として有用である。
【図面の簡単な説明】
【００５３】
【図１】本発明の一実施の形態の構成を示すブロック図
【図２】図１に示す番組提供システムの構成例を示すブロック図
【図３】図１に示す広告管理システムの構成例を示すブロック図
【図４】図１に示すユーザ端末の構成例を示すブロック図
【図５】図３に示す広告管理システムの管理情報蓄積手段に格納されている広告管理テーブルの構成例を示す図
【図６】図３に示す広告管理システムの管理情報蓄積手段に格納されているユーザ管理テーブルの構成例を示す図
【図７】図３に示す広告管理システムの管理情報蓄積手段に格納されている販売店管理テーブルの構成例を示す図
【図８】図３に示す広告管理システムの管理情報蓄積手段に格納されている広告主管理テーブルの構成例を示す図
【図９】図４に示すユーザ端末のコンテンツ蓄積手段に格納されている視聴データ管理テーブルの構成例を示す図
【図１０】番組提供システムが広告管理システムに広告を送信するフローチャート
【図１１】ユーザ端末が広告管理システムから広告を取得するフローチャート
【図１２】ユーザ端末が蓄積済み広告を再生するフローチャート
【図１３】ユーザ端末が広告管理システムに視聴データを送信するフローチャート
【図１４】販売店端末が広告管理システムと割引ポイントを送受信するフローチャート
【図１５】ユーザ端末で広告を再生した時の画面表示例を示す図
【符号の説明】
【００５４】
１００    番組提供システム
１０１    入力手段
１０２    制御手段
１０３    多重化手段
１０４    通信手段
１０５    番組情報生成手段
１０６    編集手段
１０７    コンテンツ生成手段
１０８    検索手段
１０９    番組情報蓄積手段
１１０    コンテンツ蓄積手段
２００    広告管理システム
２０１    制御手段
２０２    通信手段
２０３    認証手段
２０４    多重化手段
２０５    検索手段
２０６    ＴＳデコード手段
２０７    コンテンツ生成手段
２０８    管理情報蓄積手段
２０９    コンテンツ蓄積手段
３００    ユーザ端末
３０１    入力手段
３０２    制御手段
３０３    受信手段
３０４    通信手段
３０５    再生手段
３０６    ＴＳデコード手段
３０７    検索手段
３０８    表示手段
３０９    音声出力手段
３１０    コンテンツ蓄積手段
４００    販売店端末
５００    広告主端末
６００    テレビ放送局
７００    ネットワーク
１０００    広告管理テーブル
１１００    ユーザ管理テーブル
１２００    販売店管理テーブル
１３００    広告主管理テーブル
１４００    視聴データ管理テーブル
１５００    画面表示
【図１】
2005341104.tif 000003
【図２】
2005341104.tif 000004
【図３】
2005341104.tif 000005
【図４】
2005341104.tif 000006
【図５】
2005341104.tif 000007
【図６】
2005341104.tif 000008
【図７】
2005341104.tif 000009
【図８】
2005341104.tif 000010
【図９】
2005341104.tif 000011
【図１０】
2005341104.tif 000012
【図１１】
2005341104.tif 000013
【図１２】
2005341104.tif 000014
【図１３】
2005341104.tif 000015
【図１４】
2005341104.tif 000016
【図１５】
2005341104.tif 000017